(57)【要約】【課題】  空気中の酸素と接触して発熱する発熱組成物を利用した足用発熱袋であって、発熱性能が損なわれることなく、足を暖めるとともに、足の裏のつぼを刺激して健康を促進できる足用発熱袋を提供する。【解決手段】  発熱袋を使用する際に、発熱組成物が発熱反応により互いに固着してほぼ均一に固形物を生成し、足の裏のつぼを刺激するように構成する。【選択図】  図２
2005046335.tif 000002
【特許請求の範囲】
【請求項１】
空気中の酸素と接触して発熱する発熱組成物が収納された通気性を有する内袋を、非通気性の外袋に密封した足用発熱袋であって、発熱組成物が発熱反応により互いに固着して固形物を生成し、足の裏のつぼを刺激するように構成されたことを特徴とする足用発熱袋。
【請求項２】
固形物が、円盤形に換算して、１．０ｍｍ以上の厚さ、及び３．０ｍｍ以上の径を有するものである請求項１に記載の足用発熱袋。
【請求項３】
固形物が、球形に換算して２．０ｍｍ以上の径を有するものである請求項１に記載の足用発熱袋。
【請求項４】
固形物が、内袋の内部において、ほぼ均一に分散して生成するように設定された請求項１に記載の足用発熱袋。
【請求項５】
内袋に収納された発熱組成物の組成が、内袋の厚み方向に対して偏って収納された請求項１に記載の足用発熱袋。
【請求項６】
内袋に収納された発熱組成物の組成が、局部的に偏って収納された請求項１に記載の足用発熱袋。
【請求項７】
発熱組成物が造粒されたものである請求項１に記載の足用発熱袋。
【請求項８】
発熱組成物が、１．２ｇ／ｃｍ３以上の嵩密度を有する請求項１に記載の足用発熱袋。
【請求項９】
発熱組成物とともに、足のつぼを刺激する固形物を内袋に収納した請求項１に記載の足用発熱袋。
【請求項１０】
内袋の包材が２層以下の包装材で構成された請求項１に記載の足用発熱袋。
【請求項１１】
内袋が２枚の包材を貼り合せたものである請求項１に記載の足用発熱袋。
【請求項１２】
内袋の形状が、円形、楕円形、半円形、三角形、台形、おむすび形、またはこれらに類似する形状である請求項１１に記載の足用発熱袋。
【請求項１３】
内袋の中心点以外の一部分に発熱組成物を多く収納することにより、該一部分をその周辺部より盛り上げた請求項１１に記載の足用発熱袋。
【発明の詳細な説明】
【技術分野】
【０００１】
本発明は足用発熱袋に関し、さらに詳細には、空気中の酸素と接触して発熱する発熱組成物を利用した足用発熱袋であって、足を暖めるとともに、発熱組成物が発熱反応により互いに固着して生成する固形物により、足の裏のつぼを刺激して健康を促進する足用発熱袋に関する。
【背景技術】
【０００２】
従来から鉄粉等の被酸化性金属、活性炭、無機電解質、水を主成分とし、空気中の酸素と接触して発熱する発熱組成物を通気性の内袋に収納した発熱袋がかいろ等として広く利用されている。これらの発熱袋の一般的な構造としては、微多孔、針孔等の通気孔を有する通気性の内袋に、空気中の酸素と接触して発熱する被酸化性金属粉末と、活性炭、無機電解質、水等を混合した発熱組成物が収納されており、さらに使用される迄の期間中、外部の空気と遮断し、かつ水が蒸発し外部へ拡散することを防ぐために、前記通気性の内袋が非通気性の外袋に密封されている。
【０００３】
このような発熱袋においては、発熱組成物の成分、充填量等や、内袋包材の通気孔分布、酸素透過率等を好ましい条件に設定し、適度な発熱性能（初期昇温速度、最高温度、発熱持続時間等）を得ることが重要となっている。また、発熱組成物が内袋の内部で偏らないこと、発熱袋の装着中に違和感の原因となるような固形物が生成しないことが求められている。固形物が生成しない発熱袋としては、例えば発熱組成物の被酸化性金属粉末に亜鉛を用いた発熱袋（特開２００１−２１２１６７）、空隙内に発熱組成物及び熱溶融型接着剤を保持した不織布を他の不織布と重ね合せて加熱圧縮し、水または無機電解質水溶液を含浸させたシート状発熱体を用いた発熱袋（特開平１０−１２７６８０）等がある。
【特許文献１】特開２００１−２１２１６７号公報
【特許文献２】特開平１０−１２７６８０号公報
【発明の開示】
【発明が解決しようとする課題】
【０００４】
しかしながら、発熱袋の装着位置によっては、違和感が全くない発熱袋よりも、つぼを刺激するような快適な感覚が得られる発熱袋の方が好ましい場合がある。例えば、履物の中敷に凹凸のあるものを使用し、足の裏のつぼを刺激して健康を促進することが知られており、このようなことは発熱袋にも適用することが可能であると考えられる。しかし、固形物が生成するような条件で製造された発熱袋は、通常は発熱性能も悪化すると考えられており、現在までにこのような発熱袋は開発されていない。
従って、本発明が解決しようとする課題は、発熱性能が損なわれることなく、足を暖めるとともに、足の裏のつぼを刺激して健康を促進できる足用発熱袋を提供することである。
【課題を解決するための手段】
【０００５】
本発明者らは、これらの課題を解決すべく鋭意検討した結果、発熱組成物の組成を内袋の水平方向に対して均一に、厚み方向に対して偏って収納することにより、発熱組成物の組成を全体的に均一に、局部的に偏って収納することにより、あるいは発熱組成物を造粒すること等により、発熱性能が損なわれることなく、固形物が生成するような発熱袋が得られることを見い出し本発明の足用発熱袋に到達した。
【０００６】
すなわち本発明は、空気中の酸素と接触して発熱する発熱組成物が収納された通気性を有する内袋を、非通気性の外袋に密封した足用発熱袋であって、発熱組成物が発熱反応により互いに固着して固形物を生成し、足の裏のつぼを刺激するように構成されたことを特徴とする足用発熱袋である。
【０００７】
本発明は、空気中の酸素と接触して発熱する発熱組成物を利用した足用発熱袋に適用されるが、特に土踏まずに装着する場合に、つぼを効率よく刺激できる点で効果を発揮する。
【０００８】
本発明の足用発熱袋において、空気中の酸素と接触して発熱する発熱組成物とは、被酸化性金属粉、活性炭、無機電解質、水、保水剤等の混合物であり、従来から公知のものが使用される。
被酸化性金属粉としては鉄粉、アルミニウム粉などであるが、通常は鉄粉が用いられ、還元鉄粉、アトマイズド鉄粉、電解鉄粉等が利用される。活性炭は反応助剤の他、保水剤としても使用され、通常は椰子殻炭、木粉炭、ピート炭等が用いられる。
【０００９】
無機電解質としては、アルカリ金属、アルカリ土類金属、重金属の塩化物、及びアルカリ金属の硫酸塩等が好ましく、例えば、塩化ナトリウム、塩化カリウム、塩化カルシウム、塩化マグネシウム、塩化第二鉄、硫酸ナトリウム等が用いられる。
保水剤としては、保水性の高いものであるとともに、発熱袋の長期保存中に変質を生じないものであれば特に限定されず、例えば真珠岩粉末、バーミキュライト、木粉、高分子吸水剤等が用いられる。
【００１０】
尚、本発明においては、足の裏のつぼを効果的に刺激するために、嵩密度が低いものを用いないことが好ましく、調製された後の発熱組成物の嵩密度が１．２ｇ／ｃｍ３以上となるように選択することが好ましい。
また、発熱組成物の組成割合は、目的とする発熱性能などによって異なり、一概には特定できないが、例えば被酸化性金属粉１００重量部に対し、活性炭２．０〜３５重量部、無機電解質０．５〜８．５重量部、水２０〜５０重量部、保水剤０．１〜２０重量部である。その他、所望により、脱臭剤、水素発生抑制剤等を加えることもできる。
【００１１】
本発明の足用発熱袋においては、前記のような発熱組成物が、発熱袋の使用中に、発熱反応により互いに固着して固形物を生成し、発熱袋を装着している人の足の裏のつぼを刺激することになるような構成で内袋に収納される。本発明においては、内袋として通常は偏平状の袋が使用されるが、本発明における固形物は、内袋が偏平状の袋である場合、円盤形に換算して、通常は１．０ｍｍ以上の厚さ及び３．０ｍｍ以上の径を有する大きさのもの、好ましくは２．０ｍｍ〜５ｍｍの厚さ及び５．０〜１０ｍｍ以上の径を有する大きさのものである。また、内袋が偏平状の袋でない場合、球形に換算して通常は２．０ｍｍ以上の径を有する大きさのもの、好ましくは３．０〜１０ｍｍの径を有する大きさのものである。
【００１２】
以下、本発明の足用発熱袋を、図１及び図２に基づいて詳細に説明するが、本発明はこれらにより限定されるものではない。
図１は、本発明の足用発熱袋の内袋の例を示す平面図である。また、図２は、図１の内袋におけるａ−ａ’面の例を示す断面図である。尚、図１の内袋は、土踏まずに装着する場合に好適な形状の内袋の例を示すものであり、図２は、使用前における内袋中の発熱組成物の収納状態を示すものである。
【００１３】
本発明の足用発熱袋は、内袋に収納された発熱組成物が、発熱袋の使用中に、発熱反応により互いに固着して固形物を生成するものであるが、固形物を生成させるための手段としては特に制限されることはない。そのような手段としては、例えば発熱袋を製造する過程で、図２（１）（２）（３）に示すように発熱組成物の組成を偏った構成にする方法を挙げることができる。尚、図２の発熱組成物４の分布は、発熱組成物の疎密状態を示すものではなく、被酸化性金属粉、活性炭、無機電解質、水、保水剤から選ばれる１種以上の成分が、偏って収納されていることを示すものである。また、図２において、内袋中の点の分布状態が互いに同一の部分は、それらの部分が同一の組成であることを示すものである。
【００１４】
図２（１）に示す内袋は、発熱組成物４の組成を内袋の水平方向に対して均一に、厚み方向に対して偏って収納した構成を示すものである。また、図２（２）に示す内袋は、発熱組成物４の組成を全体的に均一に、局部的に偏って収納した構成を示すものである。これらは、いずれも部分的に発熱組成物が偏っているので、発熱袋の使用中に、時間の経過とともに発熱組成物が発熱反応により互いに固着して固形物を生成しやすいが、水平方向あるいは全体的には発熱組成物がほぼ均一なので、発熱性能を大きく損なうことがない。
【００１５】
尚、図２（１）（２）において、発熱組成物の偏りの大きさは、発熱組成物のいずれかの成分の含有率が、局部的に最大で２〜２０％異なるものである。発熱組成物の偏りの大きさが最大で２％未満の場合は、固形物を生成することができないか、あるいは充分な大きさの固形物を生成することができない不都合を生じる。また、発熱組成物の偏りの大きさが最大で２０％を超える場合は、発熱性能を損なう虞がある。
【００１６】
図２（３）に示す内袋は、発熱組成物の一部または全部を予め造粒物５として収納した構成を示すものである。このような構成とすることにより、発熱袋の使用中に、造粒物中の発熱組成物が容易に互いに固着して固形物を生成する。
また、本発明の足用発熱袋においては、発熱組成物とともに、足のつぼを刺激するような固形物を内袋に収納することにより、さらに良好な効果を得ることができる。このような固形物としては、ガラス、セラミック等を使用することができる。造粒物、あるいはガラス、セラミック等を利用する場合には、前述の球または円盤に相当する大きさのものが使用される。
【００１７】
本発明における内袋は、前記のような構成で発熱組成物を袋の内部に保持するとともに、使用中に破袋を生じることがなく、発熱性能を得るために必要な通気性を有し、足の裏のように、表面が曲面であったり凹凸がある場合においても発熱袋を密着させることができるように、可撓性を有する包装材から成るものである。
内袋は、通常は通気性包材を２枚、あるいは通気性包材と非通気性包材を、熱融着性を有する面が互いに内側となるようにして重ね合せ、周辺を加熱融着して袋状に成形するとともに、発熱組成物を充填して図１に示すような偏平状の内袋とされる。
【００１８】
通気性包材としては、例えば微細な貫通孔を有する多孔性フイルム単独の包材、不織布にポリエチレンフイルムなどがラミネートされた非通気性包材に微細な孔を開けて通気性を持たせた包材、多孔質フィルムに不織布を貼り合せた包材、あるいは繊維が積層され熱圧着されて通気性を制御された不織布より成る包材等が用いられる。
非通気性包材としては、ポリエチレン、ポリプロピレンなどの非通気性フィルム、あるいはポリエチレンフィルム等に不織布を貼り合せたもの等がある。
【００１９】
本発明における内袋としては、発熱組成物が発熱反応により互いに固着して生成した固形物が、容易に足の裏のつぼに刺激を伝達するように、内袋の包材の厚みを薄くすることが好ましい。そのため内袋に使用される包材を２層以下の包装材で構成させることが好ましい。
また、本発明における内袋は、履物あるいは靴下等へ接着させるために、片面の表面に粘着剤層を設けることができる。偏平状袋の片面を通気性包材とし、他の片面を非通気性包材とした場合には、通常は非通気性包材側に粘着剤層が設けられる。尚、粘着剤層の表面は、通常は使用されるまでの間、剥離紙などにより被覆される。
【００２０】
内袋の大きさ及び形状は、足の裏の装着部位に合ったものが用いられる。内袋の水平方向の形状としては、通常は、円形、楕円形、半円形、三角形、台形、おむすび形、またはこれらに類似する形状とされる。また、厚み方向の形状としては、一般的に中心点（あるいは重心点）に発熱組成物を多く収納し、その周辺部より盛り上げたものが考えられるが、例えば土踏まずに装着する場合には、内袋の中心点（あるいは重心点）よりはずれた部分を盛り上げた形状とすることが好ましい。このような形状とすることにより、効率よく足の裏のつぼを刺激することができる。
本発明における内袋は、使用される迄の期間中、外部の空気と遮断し、かつ水が蒸発し外部へ逸散することを防ぐために、ポリエチレン、ポリプロピレン等の非通気性フィルムから成る外袋に密封されて足用の発熱袋とされる。
【発明の効果】
【００２１】
本発明の足用発熱袋においては、発熱組成物が発熱反応により互いに固着して、袋内でほぼ均一に固形物を生成する。そのため、本発明の足用発熱袋は、発熱性能が損なわれることなく、足を効率よく暖めることが可能であるとともに、使用中に生成する固形物により足の裏のつぼを刺激して健康を促進させることが可能である。
【発明を実施するための最良の形態】
【００２２】
次に、本発明を実施例により具体的に説明するが、本発明がこれらにより限定されるものではない。
【実施例１】
【００２３】
片面の包材として、微多孔を有する厚さ９０μｍのポリエチレンフィルムと、厚さ２００μｍのナイロン不織布を用い、他の片面の包材として、粘着剤層を有する厚さ１００μｍのポリエチレンフィルムを用い、これらの包材をポリエチレン面が互いに接するように重ね合せて、半径５０ｍｍの半円形に切断し、円周部を加熱融着することにより図１に示すような内袋を製作した。
【００２４】
また、鉄粉６．７３ｇ（６７．３ｗｔ％）、活性炭０．５６ｇ（５．６ｗｔ％）、ゼオライト０．４５ｇ（４．５ｗｔ％）、高分子吸水剤０．０７ｇ（０．７ｗｔ％）、塩化ナトリウム０．２５ｇ（２．５ｗｔ％）、水１．９０ｇ（１９．０ｗｔ％）からなる発熱組成物を窒素雰囲気下で調製し、前記の内袋に収納した後、残る１辺を加熱融着することにより貼り合せた。
次に、このように製作した内袋に振動を付与して、発熱組成物の組成を内袋の厚み方向に対して偏らせた。さらに内袋を非通気性の外袋に密封して発熱袋とし、温度２０℃、相対湿度６０％の試験室に約１週間放置した。
【００２５】
以上のように製作した１０個の発熱袋のうち５個について、発熱袋を解体し、内袋に収納されている最上層と最下層の発熱組成物の組成を調査した。その結果、鉄粉の含有率の平均値は、最上層が６２．７ｗｔ％、最下層が７１．８ｗｔ％であった。また、その他の５個の発熱袋について、温度２０℃、相対湿度６０％の試験室で、内袋を外袋から取り出した後、内袋の非通気性包材表面に温度センサーを取付け、５人が靴下を介して土踏まずにこれを装着し、さらに靴をはいて静止した状態で発熱試験を行なった。その結果、内袋表面の最高温度は５個の平均値で４２．１℃、３５℃以上の持続時間は５個の平均値で６．５時間であった。また、使用後の内袋中に、発熱組成物が互いに固着して生成した厚さ１ｍｍ以上、径３ｍｍ以上の固形物を多数確認することができた。
【００２６】
比較例１
実施例１と同様の成分からなる発熱組成物を、窒素雰囲気下でよく混合しながら調製し、実施例１と同様の内袋を製作した。
次に、製作した内袋に振動を付与することなく、非通気性の外袋に密封して発熱袋とし、温度２０℃、相対湿度６０％の試験室に約１週間放置した。
【００２７】
このように製作した１０個の発熱袋のうち５個について、発熱袋を解体し、内袋に収納されている最上層と最下層の発熱組成物の組成を調査した。その結果、鉄粉の含有率の平均値は、最上層が６７．２ｗｔ％、最下層が６７．５ｗｔ％であった。その他の成分の含有率についても最上層と最下層に大きな差は見られなかった。また、その他の５個の発熱袋について、実施例１と同様にして発熱試験を行なった。その結果、内袋表面の最高温度は５個の平均値で４２．２℃、３５℃以上の持続時間は５個の平均値で６．４時間であった。また、使用後の内袋中に、実施例１のような大きな固形物は確認することができなかった。
【図面の簡単な説明】
【００２８】
【図１】本発明の足用発熱袋の内袋の例を示す平面図
【図２】図１におけるａ−ａ’面の例を示す断面図
【符号の説明】
【００２９】
１  内袋
２  貼り合せ部
３  内袋の包材
４  発熱組成物
５  造粒物
【図１】
2005046335.tif 000003
【図２】
2005046335.tif 000004